(57)【要約】  装置コストの増大を回避しながら、発光管に対する冷却効率を可及的に向上させることを目的とする。  長手方向の両端部に外部接続用電極（ＥＯ）を備えた発光管（１）と、略筒状に形成されて、内部空間に非接触状態で配置された前記発光管（１）を冷却する冷却用部材（ＣＭ）とが備えられた光源装置において、前記発光管（１）は、前記内部空間において、前記発光管（１）の上端と前記冷却用部材（ＣＭ）の内壁との間隔が、前記発光管（１）の下端と前記冷却用部材（ＣＭ）の内壁との間隔よりも短くなるように存在位置が設定されて構成されている。
2009008473.tif 000002
【特許請求の範囲】
【請求項１】
長手方向の両端部に外部接続用電極を備えた発光管と、略筒状に形成されて、内部空間に非接触状態で配置された前記発光管を冷却する冷却用部材とが備えられた光源装置であって、
前記発光管は、前記内部空間において、前記発光管の上端と前記冷却用部材の内壁との間隔が、前記発光管の下端と前記冷却用部材の内壁との間隔よりも短くなるように存在位置が設定されて構成されている光源装置。
【請求項２】
前記発光管が、直管形状の発光管である請求項１記載の光源装置。
【請求項３】
前記冷却用部材は、前記内部空間が略円柱形状となるように形成され、
前記発光管において、前記外部接続用電極の存在箇所は、前記冷却用部材の内壁に内嵌する支持部材にて支持され、
前記支持部材は、前記長手方向視で前記冷却用部材の内壁との間に隙間ができる形状に形成され、
前記長手方向視において、前記支持部材における前記発光管の支持位置が、前記冷却用部材の内部空間の上方側寄りに設定され、
前記冷却用部材に、前記支持部材の少なくとも１部と接当して、前記支持部材の回り止めをする回り止め部材が備えられ、
前記支持部材と前記冷却用部材の内壁との間の隙間を通風経路として、前記発光管を冷却する冷却風を生成する冷却風生成手段が備えられている請求項１又は２記載の光源装置。
【請求項４】
前記冷却用部材は、前記内部空間が略円柱形状となるように形成され、
前記発光管において、前記外部接続用電極の存在箇所は、前記冷却用部材の内壁に内嵌する支持部材にて支持され、
前記支持部材は、前記長手方向視で多角形となる形状に形成され、
前記長手方向視において、前記支持部材における前記発光管の支持位置が、前記支持部材の外接円の中心よりも上方側寄りに設定され、
前記冷却用部材に、多角形形状の前記支持部材の少なくとも１辺と接当して、前記支持部材の回り止めをする回り止め部材が備えられ、
前記支持部材と前記冷却用部材の内壁との間の隙間を通風経路として、前記発光管を冷却する冷却風を生成する冷却風生成手段が備えられている請求項１又は２記載の光源装置。
【請求項５】
前記発光管は、
前記外部接続用電極の存在箇所を支持する支持部材が備えられ、
前記長手方向視において、前記支持部材の外接円の中心と、前記長手方向中央部における前記発光管の外接円の中心とが、位置ずれした状態で形成されている発光管である請求項２記載の光源装置。
【請求項６】
長手方向の両端部に外部接続用電極を備えた直管形状の発光管であって、
前記外部接続用電極の存在箇所を支持する支持部材が備えられ、
前記長手方向視において、前記支持部材の外接円の中心と、前記長手方向中央部における前記発光管の外接円の中心とが、位置ずれした状態で形成されている発光管。
【発明の詳細な説明】
【技術分野】
【０００１】
本発明は、長手方向の両端部に外部接続用電極を備えた発光管と、略筒状に形成されて、内部空間に非接触状態で配置された前記発光管を冷却する冷却用部材とが備えられた光源装置、及び、その光源装置での使用に適した発光管に関する。
【背景技術】
【０００２】
かかる光源装置は、例えば紫外線ランプ等の発光管から出射した光を、各種の処理対象物に照射して、樹脂の硬化等の所定の処理を行うための装置である。
このような光源装置は点灯動作時に発光管が高温となるため、発光管の過度の温度上昇を抑制するべく冷却する手段が備えられている。
この冷却手段の構成としては、例えば、下記特許文献１にも記載のように、発光管の周囲を取り囲む状態に水冷ジャケット等の冷却用部材を配置することが考えられている。
下記特許文献１の水冷ジャケットは、発光管から出射した光を透過させるために石英製の二重管にて構成され、その二重管の内管と外管との間の空間に冷却水を流す構成としている。
従来、水冷ジャケットの内部空間における発光管の配置形態は、発光管に対して均等に冷却作用させるという考えから、内部空間の中心軸（内管の中心軸）と発光管の中心軸とを一致させて、内部空間の中央位置に配置する構成としていた。
【特許文献１】特開２００４−３９５１１号公報
【発明の開示】
【発明が解決しようとする課題】
【０００３】
しかしながら、近年の発光管の出力の増大に伴って、上記従来構成のように発光管を配置したのでは、発光管に対する冷却効率が不十分なものとなってしまう場合があった。
本発明は、かかる実情に鑑みてなされたものであって、その目的は、装置コストの増大を回避しながら、発光管に対する冷却効率を可及的に向上させる点にある。
【課題を解決するための手段】
【０００４】
本出願の第１の発明は、長手方向の両端部に外部接続用電極を備えた発光管と、略筒状に形成されて、内部空間に非接触状態で配置された前記発光管を冷却する冷却用部材とが備えられた光源装置において、前記発光管は、前記内部空間において、前記発光管の上端と前記冷却用部材の内壁との間隔が、前記発光管の下端と前記冷却用部材の内壁との間隔よりも短くなるように存在位置が設定されて構成されている。【０００５】
すなわち、発光管の出力の増大に伴って発光管からの発熱も増大する。発光管から放射された熱は、発光管を取り囲んでいる冷却用部材の内部空間に均等に拡がるのではなく、重力の影響を受けて発光管の上方にこもる。この結果、前記内部空間内で不均一な熱分布となってしまう。
このため、発光管を冷却用部材の内部空間の中央に配置したのでは、発光管の上部に対する冷却効果が不十分なものとなってしまう。
そこで、冷却用部材の内部空間における発光管の配置として、発光管の上端と冷却用部材の内壁との間隔が、発光管の下端と冷却用部材の内壁との間隔よりも短くなるように配置している。換言すると、発光管を冷却用部材の内部空間において上方側に偏倚させて配置している。
尚、上端、下端、上方、下方とは、重力の方向、すなわち、鉛直方向における上下を意味する。【０００６】
このような配置とすることによって、発光管の上端は、より冷却用部材の内壁に接近して、冷却用部材の内壁からの冷却作用がより強くなる。
又、発光管からの発熱が極端に大となると、その熱によって発光管が下方に湾曲してしまう場合がある。
このように発光管が下方に湾曲した場合に、発光管の下端側が冷却用部材の内壁に接触してしまうと、発光管におけるその接触箇所が冷却され過ぎて正常な点灯状態を維持できなくなってしまう。そこで、発光管を上記のように配置して、発光管の下端側と冷却用部材の内壁との間隔を相対的に長くすることで、発光管が湾曲しても冷却用部材の内壁と接触してしまうのを回避できる。【０００７】
又、本出願の第２の発明は、上記第１の発明の構成に加えて、前記発光管が、直管形状の発光管である。
直管形状の発光管は、上述のような熱の問題を受け易く、発光管の湾曲等の問題が発生し易いので、上記のように発光管を配置することが特に有用となる。【０００８】
又、本出願の第３の発明は、上記第１又は第２の発明の構成に加えて、前記冷却用部材は、前記内部空間が略円柱形状となるように形成され、前記発光管において、前記外部接続用電極の存在箇所は、前記冷却用部材の内壁に内嵌する支持部材にて支持され、前記支持部材は、前記長手方向視で前記冷却用部材の内壁との間に隙間ができる形状に形成され、前記長手方向視において、前記支持部材における前記発光管の支持位置が、前記冷却用部材の内部空間の上方側寄りに設定され、前記冷却用部材に、前記支持部材の少なくとも１部と接当して、前記支持部材の回り止めをする回り止め部材が備えられ、前記支持部材と前記冷却用部材の内壁との間の隙間を通風経路として、前記発光管を冷却する冷却風を生成する冷却風生成手段が備えられている。【０００９】
すなわち、前記内部空間が略円柱形状をなす場合において、前記内部空間での発光管の存在位置を上方側に偏倚させるための構成として、前記外部接続用電極の存在箇所を支持する支持部材における前記発光管の支持位置を上方側寄りにずらせるだけの簡単な構成で実現している。
しかも、この支持部材の端縁と冷却用部材の内壁との間に隙間が形成されるのを利用して、発光管を冷却するための冷却風の通風経路としている。
更には、支持部材の少なくとも１部と接当する単純な構成で、支持部材が冷却用部材の内部空間内で回転してしまうのを阻止する回り止め部材を構成でき、発光管を適正姿勢に維持できる。【００１０】
又、本出願の第４の発明は、上記第１又は第２の発明の構成に加えて、前記冷却用部材は、前記内部空間が略円柱形状となるように形成され、前記発光管において、前記外部接続用電極の存在箇所は、前記冷却用部材の内壁に内嵌する支持部材にて支持され、前記支持部材は、前記長手方向視で多角形となる形状に形成され、前記長手方向視において、前記支持部材における前記発光管の支持位置が、前記支持部材の外接円の中心よりも上方側寄りに設定され、前記冷却用部材に、多角形形状の前記支持部材の少なくとも１辺と接当して、前記支持部材の回り止めをする回り止め部材が備えられ、前記支持部材と前記冷却用部材の内壁との間の隙間を通風経路として、前記発光管を冷却する冷却風を生成する冷却風生成手段が備えられている。【００１１】
すなわち、前記内部空間が略円柱形状をなす場合において、前記内部空間での発光管の存在位置を上方側に偏倚させるための構成として、前記外部接続用電極の存在箇所を支持する支持部材における前記発光管の支持位置を上方側寄りにずらせるだけの簡単な構成で実現している。
しかも、この支持部材は発光管の長手方向視で多角形形状となっており、支持部材の端縁と冷却用部材の内壁との間に隙間が形成されるのを利用して、発光管を冷却するための冷却風の通風経路としている。
更には、支持部材が多角形形状となっていることで、それの少なくとも１辺の接当する単純な構成で、支持部材が冷却用部材の内部空間内で回転してしまうのを阻止する回り止め部材を構成でき、発光管を適正姿勢に維持できる。【００１２】
又、本出願の第５の発明は、上記第２の発明の構成に加えて、前記発光管は、前記外部接続用電極の存在箇所を支持する支持部材が備えられ、前記長手方向視において、前記支持部材の外接円の中心と、前記長手方向中央部における前記発光管の外接円の中心とが、位置ずれした状態で形成されている発光管としている。
従って、従来から存在する内部空間が略円柱形状をなす筒状の冷却用部材をそのまま利用して、その内部空間に上記構成を有する支持部材を備えた発光管をセットするだけで、光源装置において、発光管の上端と冷却用部材の内壁との間隔が、発光管の下端と冷却用部材の内壁との間隔よりも短くなるように、前記内部空間における発光管の位置関係を設定できる。【００１３】
又、本出願の第６の発明は、長手方向の両端部に外部接続用電極を備えた直管形状の発光管において、前記外部接続用電極の存在箇所を支持する支持部材が備えられ、前記長手方向視において、前記支持部材の外接円の中心と、前記長手方向中央部における前記発光管の外接円の中心とが、位置ずれした状態で形成されている。
従って、この構成の発光管を光源装置に組み付けるについては、従来から存在する内部空間が略円柱形状をなす筒状の冷却用部材をそのまま利用して、その内部空間に上記構成を有する支持部材を備えた発光管をセットするだけで、発光管の上端と冷却用部材の内壁との間隔が、発光管の下端と冷却用部材の内壁との間隔よりも短くなるように、前記内部空間における発光管の位置関係を設定できる。
【発明の効果】
【００１４】
上記第１の発明によれば、発光管を冷却用部材の内部空間において上方側に偏倚させて配置させるだけで、発光管の上端は、より冷却用部材の内壁に接近して、冷却用部材の内壁からの冷却作用がより強くなる。
もって、装置コストの増大を回避しながら、発光管に対する冷却効率を可及的に向上できるものとなった。
又、上記第２の発明によれば、直管形状の発光管を使用する場合において、有効に発光管に対する冷却効率を向上でき、発光管の湾曲等の問題を回避することが可能となった。
又、上記第３の発明によれば、冷却用部材の内部空間での発光管の存在位置を上方側に偏倚させるための構成として備える発光管の支持部材を利用して、発光管を冷却するための冷却風の通風経路を形成させると共に、発光管の回り止めをして適正姿勢に維持させるのにも利用できるので、発光管を支持する支持部材を多機能化して有効活用することができる。
又、上記第４の発明によれば、冷却用部材の内部空間での発光管の存在位置を上方側に偏倚させるための構成として備える発光管の支持部材を多角形形状とすることで、発光管を冷却するための冷却風の通風経路を形成させると共に、発光管の回り止めをして適正姿勢に維持させるのにも利用できるので、発光管を支持する支持部材を多機能化して有効活用することができる。【００１５】
又、上記第５の発明によれば、従来から存在する内部空間が略円柱形状をなす筒状の冷却用部材をそのまま利用して、その内部空間に上記構成を有する支持部材を備えた発光管をセットするだけで、光源装置において、発光管の上端と冷却用部材の内壁との間隔が、発光管の下端と冷却用部材の内壁との間隔よりも短くなるように、前記内部空間における発光管の位置関係を設定できるので、装置コストの増大を回避しながら、発光管に対する冷却効率を可及的に向上できるものとなった。
又、上記第６の発明によれば、発光管を光源装置に組み付ける場合において、従来から存在する内部空間が略円柱形状をなす筒状の冷却用部材をそのまま利用して、その内部空間に上記構成を有する支持部材を備えた発光管をセットするだけで、発光管の上端と冷却用部材の内壁との間隔が、発光管の下端と冷却用部材の内壁との間隔よりも短くなるように、前記内部空間における発光管の位置関係を設定できるので、装置コストの増大を回避しながら、発光管に対する冷却効率を可及的に向上できるものとなった。
【図面の簡単な説明】
【００１６】
【図１】本発明の実施の形態にかかる光源装置の部分断面図
【図２】本発明の実施の形態にかかる要部部分断面図
【図３】本発明の実施の形態にかかる光源装置の側面図
【図４】本発明の別実施形態にかかる発光管を示す図
【図５】本発明の別実施形態にかかる光源装置の側面図
【符号の説明】
【００１７】
１    発光管
２８  回り止め部材
ＣＡ  冷却風生成手段
ＣＭ  冷却用部材
ＥＯ  外部接続用電極
ＳＰ  支持部材
【発明を実施するための最良の形態】
【００１８】
以下、本発明の光源装置の実施の形態を図面に基づいて説明する。
本実施の形態の光源装置ＵＬは、図１の部分断面図に示すように、発光管１と、発光管１を冷却する冷却用部材ＣＭである水冷ジャケット２とを主要部として構成されている。
尚、図１では、図面を見易くするために、発光管１以外の部分について断面視で示すと共に、細部においては適宜に断面であることを示す斜線の図示を省略している。【００１９】
本実施の形態の発光管１は紫外線ランプであり、全体として棒状の直管形状に形成され、それの長手方向の両端部において、発光管１内部の放電用電極１１に接続される電極用リード線１２が封止されて、その電極用リード線１２における発光管１の外部へ延出した部分が外部接続用電極ＥＯとして取り出されている。
電極用リード線１２のガラス管への封止箇所及び外部接続用電極ＥＯの存在箇所は口金１３にて保護され、口金１３の存在箇所が、外部接続用電極ＥＯの存在箇所に一致している。
長手方向両端部で一対に備えられる口金１３にはホルダ１４が外嵌状態で取付けられ、このホルダ１４の外縁が水冷ジャケット２の内壁に内嵌する状態で水冷ジャケット２内に配置されている。
すなわち、ホルダ１４は、発光管１において、外部接続用電極ＥＯの存在箇所を支持する支持部材ＳＰとなっている。【００２０】
水冷ジャケット２は、円筒形状の内管２１と、同じく円筒形状で内管２１より大径の外管２２と、それらを保持するための部材とによって構成され、全体として略筒状に形成されている。
発光管１は、水冷ジャケット２の内部空間（より具体的には、主に内管２１の内部空間）に水冷ジャケット２の内壁と非接触状態で配置され、発光管１の周囲を水冷ジャケット２が取り囲む状態としている。
内管２１と外管２２とはいずれも石英製であり、それらが同軸状に配置されて、内管２１と外管２２との間の空間が冷却水の通路となっている。
内管２１は、外管２２よりも若干長尺に形成されており、同軸状に配置された内管２１及び外管２２の長手方向両端部をシール用リング２３にて挟持して、内管２１と外管２２との間の間隔を一定に保持している。【００２１】
シール用リング２３には冷却水を導入又は排出するための給排水孔２３ａが備えられており、図１では、右側のシール用リング２３の給排水孔２３ａに給水ホース２４を接続して給水側とし、又、左側のシール用リング２３の給排水孔２３ａに排水ホース２５を接続して排水側としている。
一対のシール用リング２３は、夫々、リング状の保持部材２６にて保持されて位置決めされ、外管２２とシール用リング２３との間、並びに、内管２１とシール用リング２３及び保持部材２６との間がＯリングにてシールされている。
発光管１が配置される水冷ジャケット２の内部空間は、内管２１と保持部材２６との境界付近でわずかに段差が存在するものの、全体として略円柱形状をなしている。
保持部材２６には、水冷ジャケット２の内部空間へ冷却風を送り込むための給気ダクト３が接続されている。【００２２】
内管２１と外管２２との間には、水冷ジャケット２の上部中央付近において、排気用のパイプ２７が、内管２１及び外管２２の管壁を貫通する状態で取付けられている。
各パイプ２７と内管２１及び外管２２との接続箇所は気密封止されて冷却水の水漏れを防止している。
給水ホース２４から給水された冷却水は、シール用リング２３の内面側と内管２１の外面とで形成される空間を経て、内管２１と外管２２との間の空間に流れ込み、更に、反対側（排水側）のシール用リング２３の内面と内管２１の外面とで形成される空間を経て排水ホース２５へと排出される。【００２３】
発光管１において長手方向両端部の口金１３を支持するホルダ１４は、内管２１の長手方向の端縁に接し、且つ、保持部材２６に内嵌する状態で位置決めされている。
ホルダ１４は、水冷ジャケット２の長手方向端部付近の拡大図である図２、及び、発光管１の長手方向視での側面図である図３に示すように、発光管１の長手方向視で多角形となる形状（より具体的には、３角形形状）に形成され、それの各頂点が水冷ジャケット２の内壁（具体的には、保持部材２６の内壁２６ａ）に接当している。ホルダ１４がなす３角形の形状は、正３角形あるいはそれに近い２等辺３角形として、各頂点がバランス良く水冷ジャケット２の内壁に接当するようにしている。【００２４】
前記長手方向視において内壁２６ａは円形となっているので、ホルダ１４が保持部材２６に内嵌するだけの支持構成では、ホルダ１４は水冷ジャケット２の内部空間の中心軸（後述する軸β）周りに回転してしまう。
保持部材２６の側壁には、このホルダ１４の回り止めをする回り止め部材２８が取付けられている。
回り止め部材２８は、図２に示すように、板材をＬ字状に屈曲形成した部材であり、下部の縦姿勢の部分が保持部材２６の側面に固定され、上部の水平姿勢の部分がホルダ１４の底辺に接当することで、ホルダ１４の回り止めをしている。
多角形形状（具体的には、３角形）のホルダ１４を回り止めするには、上記のように、回り止め部材２８を多角形形状の１辺に接当させることで実現できるが、更に強固に回り止めをするために、他の辺（斜辺）にも回り止め部材を接当させてホルダ１４の回り止めをしても良く、前記長手方向視で多角形形状のホルダ１４の少なくとも１辺と接当してホルダ１４を回り止めするものであれば良い。
更に、ホルダ１４の各頂点が接当している保持部材２６の内壁２６ａが、発光管１の長手方向視で円形となっている関係から、図３からも明らかなように、保持部材２６の内壁２６ａとホルダ１４の外縁との間に隙間が存在し、その隙間が給気ダクト３から供給される冷却風の通風経路となっている。【００２５】
尚、図２は、図１における右側端部（給水側の端部）を示すものであるが、反対側の左側端部（排水側の端部）の構成も全く同様の構成で対称に構成されている。
この図２においても、図１と同様に、発光管１以外の部分について断面視で示すと共に、細部においては適宜に断面であることを示す斜線の図示を省略している。
又、図３は、図１における右側端部（給水側の端部）からの前記長手方向視を示すものであるが、反対側の左側端部（排水側の端部）の構成も全く同様に構成されている。
更に、図３においては、図面を見易くするために、給気ダクト３，給水ホース２４及び外部接続用電極ＥＯの図示を省略している。【００２６】
水冷ジャケット２の内部空間における発光管１の配置位置は、図１乃至図３から明らかなように、水冷ジャケット２の内部空間の中心に位置しているのではなく、発光管１を前記内部空間の中心よりも上方寄りに偏倚させている。
図３において説明すると、発光管１の長手方向視において、軸αは、長手方向に延びる発光管１の中心軸であり、又、口金１３の中心でもあるので、ホルダ１４における発光管１の支持位置を代表する位置である。
又、軸βは、発光管１の長手方向視において、水冷ジャケット２の内部空間の中心軸であり、ホルダ１４の外接円の中心である。本実施の形態では、水冷ジャケット２の内部空間が略円柱状となっていることとの関係で、保持部材２６の内壁２６ａのなす円が、ホルダ１４の外接円に相当する。
軸αと軸βとは上下方向に並び、その間隔に相当する距離だけ、発光管１の長手方向視において、ホルダ１４における発光管１の支持位置が、ホルダ１４の外接円の中心よりも上方寄りに設定されている。【００２７】
長手方向の両端部において発光管１を図３に示す位置で取付けているため、その結果として、発光管１は、略円柱形状の前記内部空間の中心軸と平行姿勢であり、且つ、前記内部空間において、発光管１の上端と水冷ジャケット２の内壁（ここでは、内管２１の内壁）との間隔（図２において距離ａで示す）が、発光管１の下端と水冷ジャケット２の内壁（内管２１の内壁）との間隔（図２において距離ｂで示す）よりも短くなるように、すなわち、ａ＜ｂの関係となるように存在位置が設定されていることになる。【００２８】
以上、水冷ジャケット２の内部空間における発光管１の存在位置の観点で説明したが、そのような存在位置とするための発光管１の構成に着目すると、発光管１の長手方向視において、外部接続用電極ＥＯの存在箇所を支持する支持部材ＳＰであるホルダ１４の外接円の中心（図３における軸βの位置）と、前記長手方向中央部における発光管１の外接円の中心とが、位置ずれした状態に形成されている。
本実施の形態では、発光管１は長手方向端部を除いて円柱形状であり、又、中心軸に対して軸対象の形状となっているので、前記長手方向中央部における発光管１の外接円の中心の位置は、図３において軸αで示す位置に一致する。
発光管１をこのように構成することで、略円柱形状となっている水冷ジャケット２の内部空間に発光管１を挿入するだけで、上述のような前記内部空間における発光管１の存在位置の設定が実現される。【００２９】
水冷ジャケット２と発光管１とが図１に示すように組み付けられた状態で、給水ホース２４から冷却水が供給され、且つ、発光管１を冷却する冷却風を生成する冷却風生成手段ＣＡである送風ファン４から一対の給気ダクト３を経て冷却風が供給される状態で発光管１が点灯駆動される。
点灯駆動に伴って発光管１が発熱し、特にその上部側に熱がこもる傾向となるが、この熱は発光管１の上部が水冷ジャケット２の内壁に近いことによって効率的に除去される。
更に、左右の給気ダクト３を経て、ホルダ１４と保持部材２６の内壁２６ａとの間の隙間を通風経路として供給された冷却風は、発光管１の周囲空間を通過して発光管１を冷却し、パイプ２７から水冷ジャケット２の外部に排出される。【００３０】
〔別実施形態〕
以下、本発明の別実施形態を列記する。
（１）上記実施の形態では、発光管１自体を、ホルダ１４の外接円の中心（図３における軸β）と、前記長手方向中央部における発光管１の外接円の中心（図３における軸αの位置）とが、位置ずれした状態に形成することで、水冷ジャケット２の構成については特別な構成とはしていないが、それとは逆の組合わせとしても良い。
すなわち、発光管１自体は、ホルダ１４の外接円の中心と、前記長手方向中央部における発光管１の外接円の中心とを一致させた単純な形状に形成し、水冷ジャケット２の両端部におけるホルダ１４の支持位置を上方寄りに位置ずれさせる構成としても良い。【００３１】
（２）上記実施の形態では、発光管１の長手方向視において、外部接続用電極ＥＯの存在箇所を支持する支持部材ＳＰであるホルダ１４の形状を３角形とする場合を例示しているが、４角形以上の多角形でも良い。
（３）上記実施の形態では、冷却風生成手段ＣＡである送風ファン４を備えて水冷ジャケット２の内部空間へ冷却風を供給する場合を例示しているが、水冷ジャケット２の壁面に備えられたパイプ２７側から吸気することで、水冷ジャケット２の内部空間へ冷却風を送り込むように構成しても良い。
更には、給気ダクト３側から吸気する構成としても良い。
（４）上記実施の形態では、発光管１として紫外線ランプを例示しているが、紫外線以外の各種の波長の発光管１についても本発明を適用できる。【００３２】
（５）上記実施の形態では、発光管１自体の形状はそれの中心軸αに対して軸対象の形状として、ホルダ１４による口金１３の保持位置をホルダ１４の外接円の中心（軸β）から位置ずれさせることで、発光管１の長手方向視において、支持部材ＳＰ（ホルダ１４）の外接円の中心と、長手方向中央部における発光管１の外接円の中心とが、位置ずれした状態となるようにしているが、発光管１の形状を図４に示すような形状として上記と同様の位置関係となるようにしても良い。
図４及び発光管１の長手方向視で発光管１の支持状態を示す図５（上記実施の形態における図３に対応する図）によって更に具体的に説明する。尚、図４及び図５においては、上記実施の形態におけるものと対応する部材については同一の符号を付している。又、図４においてはホルダ１４の図示を省略している。【００３３】
すなわち、発光管１は全体としては上記実施の形態と同様に略円柱形状に形成されているが、発光管１の長手方向視での口金１３の存在位置が、長手方向中央部における発光管１の外接円の中心（上記実施形態と同様に軸αとして示す）から位置ずれした形状に形成されている。
図４においても支持部材ＳＰ（ホルダ１４）の外接円の中心を軸βで示しており、図５に示すように、発光管１の長手方向視で口金１３の中心が軸βと一致するようにホルダ１４が口金１３を支持している。図５に示す例では、正三角形に形成されたホルダ１４の重心位置で口金１３を保持している。
このような配置構成として、発光管１の長手方向視において、支持部材ＳＰ（ホルダ１４）の外接円の中心（軸β）と、長手方向中央部における発光管１の外接円の中心（軸α）とが、位置ずれした状態となるようにしている。【００３４】
本発明を詳細にまた特定の実施形態を参照して説明したが、本発明の精神と範囲を逸脱することなく様々な変更や修正を加えることができることは当業者にとって明かである。本出願は２００７年７月１０日出願の日本特許出願（特願２００７−１８０４７６）に基づくものであり、その内容はここに参照として取り込まれる。
【図１】
2009008473.tif 000003
【図２】
2009008473.tif 000004
【図３】
2009008473.tif 000005
【図４】
2009008473.tif 000006
【図５】
2009008473.tif 000007
【国際調査報告】
2009008473.tif 000008
2009008473.tif 000009
2009008473.tif 000010
2009008473.tif 000011
2009008473.tif 000012
2009008473.tif 000013
2009008473.tif 000014
2009008473.tif 000015